(57)【要約】【課題】  同じ光ディスクに続けてデータを書き込む場合に、最初にデータを書き込んだ後に次のデータ書き込みまでに最適な書き込みレーザパワーが変化してしまうようなときでも、次のデータ書き込みを最適な書き込みレーザパワーで行うことができる光ディスク装置を提供する。【解決手段】  光ディスク２１のテスト書き込みエリアにレーザパワーを変えつつテスト書き込みを行い、テスト書き込みしたデータを読み出して適正な書き込みレーザパワーを設定する書き込みレーザパワー設定手段４２と、書き込みレーザパワー設定手段４２で設定されたレーザパワーで光ディスク２１にデータ書き込みを行う書き込み制御手段４４とを具備する光ディスク装置２０において、書き込みレーザパワー設定手段４２は、データ書き込み終了後、次のデータを書き込みするまでに所定の条件を満たした場合には、次のデータの書き込みに対して適正なレーザパワーを設定するように、再度テスト書き込みを実行する。【選択図】        図２
2007234117.tif 000002
【特許請求の範囲】
【請求項１】
光ディスクにデータ書き込み可能であって、
装着された光ディスクにレーザ光を照射するレーザダイオードと、光ディスクからの反射光を受光するフォトディテクタとを有する光ピックアップと、
光ディスクのテスト書き込みエリアにレーザパワーを変えつつテスト書き込みを行い、テスト書き込みしたデータを読み出して適正な書き込みレーザパワーを設定する書き込みレーザパワー設定手段と、
書き込みレーザパワー設定手段で設定されたレーザパワーで光ディスクにデータ書き込みを行う書き込み制御手段とを具備する光ディスク装置において、
書き込みレーザパワー設定手段は、
データ書き込み終了後、次のデータを書き込みするまでに所定の条件を満たした場合には、次のデータの書き込みに対して適正なレーザパワーを設定するように、再度テスト書き込みを実行することを特徴とする光ディスク装置。
【請求項２】
データ書き込み終了からの経過時間を計時する計時手段を具備し、
書き込みレーザパワー設定手段は、
データ書き込み終了後、計時手段が所定時間経過したことを検出した場合に、次のデータの書き込みに対して適正なレーザパワーを設定するように、再度テスト書き込みを実行することを特徴とする請求項１記載の光ディスク装置。
【請求項３】
装置内温度を測定する温度測定手段を具備し、
書き込みレーザパワー設定手段は、
データ書き込み終了後、温度測定手段が装置内温度が所定温度になったことを検出した場合に、次のデータの書き込みに対して適正なレーザパワーを設定するように、再度テスト書き込みを実行することを特徴とする請求項１記載の光ディスク装置。
【請求項４】
データ書き込み終了からの経過時間を計時する計時手段と、装置内温度を測定する温度測定手段をとを具備し、
書き込みレーザパワー設定手段は、
データ書き込み終了後、計時手段が所定時間経過したことを検出するか、または温度測定手段が装置内温度が所定温度になったことを検出した場合に、次のデータの書き込みに対して適正なレーザパワーを設定するように、再度テスト書き込みを実行することを特徴とする請求項１記載の光ディスク装置。
【請求項５】
書き込みレーザパワー設定手段は、
データ書き込み終了後、次のデータを書き込みするまでに光ディスクの回転が停止した場合には、次のデータの書き込みに対して適正なレーザパワーを設定するように、再度テスト書き込みを実行することを特徴とする請求項１記載の光ディスク装置。
【発明の詳細な説明】
【技術分野】
【０００１】
本発明は、光ディスクへデータを書き込む前にテスト書き込みを実行して最適な書き込みレーザパワーを設定する光ディスク装置に関する。
【背景技術】
【０００２】
データを書き込むことができる光ディスクとして、ＣＤ−Ｒ、ＣＤ−ＲＷ、ＤＶＤ−Ｒ、ＤＶＤ−ＲＷ、ＤＶＤ＋Ｒ、ＤＶＤ＋ＲＷ、ＤＶＤ−ＲＡＭ等が知られている。
そして、このような光ディスクにデータ書き込み可能な光ディスク装置は、光ディスクへデータを書き込む前に、光ディスクの記録面の最内周に位置するテスト書き込みエリアであるＰＣＡ（Power Calibration Area)においてテスト書き込みであるＯＰＣ（Optimum Power Control）を行ない、データ書き込み時のレーザ光のパワーを適正な値となるように設定している。以下、本明細書中では、テスト書き込みのことを単にＯＰＣと称する場合がある。
【０００３】
以下、ＯＰＣ動作について図７に基づいて説明する。
光ディスク装置は、まず光ディスクから光ディスク識別情報を読み出す（ステップＳ４００）。光ディスク識別情報とは、メーカ名、書き込み可能な倍速度、使用している色素の種類等の光ディスクに関する情報である。
光ディスク識別情報は、光ディスクを製造するメーカにおいて、ＣＤであればＡＴＩＰ、ＤＶＤ＋であればＡＤＩＰ等と呼ばれるデータとして予め光ディスクに記録されている。
【０００４】
光ディスク装置は、光ディスクから読み出した光ディスク識別情報に基づいて、光ディスク装置内で予め設定してあるデータテーブルから初期レーザパワー値を読み出し（ステップＳ４０１）、この初期レーザパワー値を中心として、レーザ光のパワーを徐々に変化させながらＰＣＡにテスト書き込みを行なう（ステップＳ４０２）。
テスト書き込みされたデータは読み出され、読み出した光強度の波形の上下対照性（アシンメトリ：一般的にβと記す場合もある）が制御部（ＣＰＵ等から構成されている）によって確認される。上下対照性の確認により、最も上下対照性の良い時点でのレーザパワーが、その光ディスクの最適レーザパワー値であるとして設定される（ステップＳ４０４）。
光ディスク装置は、このＯＰＣによって設定された最適レーザパワー値で書き込み用のレーザ光を照射してデータを書き込んでいく（例えば、特許文献１参照）。
【０００５】
【特許文献１】特開２００５−３３２４８２号公報（段落００３７〜段落００４５、図２等）
【発明の開示】
【発明が解決しようとする課題】
【０００６】
なお、光ディスクにデータ書き込んだ後、同じ光ディスクに続けて次のデータを書き込む場合、次のデータを書き込むまでに多少の時間がかかってしまうことがある。
この間、装置外部の周囲温度の変化や、装置内部で発生する熱による内部温度の変化により、光ディスクに対する書き込みレーザパワーの最適な値が変化してしまうことも考えられる。
【０００７】
このように、従来の光ディスク装置では、同じ光ディスクに複数のデータを続けて書き込む場合、２回目以降に書き込んだデータは最適ではない値の書き込みレーザパワーで書き込まれる場合もあり、書き込んだデータの書き込み品位が最良ではなくなるおそれがあるといった課題があった。
【０００８】
そこで、本発明は、上記課題を解決すべくなされ、その目的とするところは、同じ光ディスクに続けてデータを書き込む場合に、最初にデータを書き込んだ後に次のデータ書き込みまでに最適な書き込みレーザパワーが変化してしまうようなときでも、次のデータ書き込みを最適な書き込みレーザパワーで行うことができる光ディスク装置を提供することにある。
【課題を解決するための手段】
【０００９】
本発明にかかる光ディスク装置によれば、光ディスクにデータ書き込み可能であって、装着された光ディスクにレーザ光を照射するレーザダイオードと、光ディスクからの反射光を受光するフォトディテクタとを有する光ピックアップと、光ディスクのテスト書き込みエリアにレーザパワーを変えつつテスト書き込みを行い、テスト書き込みしたデータを読み出して適正な書き込みレーザパワーを設定する書き込みレーザパワー設定手段と、書き込みレーザパワー設定手段で設定されたレーザパワーで光ディスクにデータ書き込みを行う書き込み制御手段とを具備する光ディスク装置において、書き込みレーザパワー設定手段は、データ書き込み終了後、次のデータを書き込みするまでに所定の条件を満たした場合には、次のデータの書き込みに対して適正なレーザパワーを設定するように、再度テスト書き込みを実行することを特徴としている。
この構成を採用することにより、データ書き込みがいったん終了し、次のデータ書き込みまでの間に最適な書き込みレーザパワーが変化してしまうような所定の条件に該当する場合には、再度ＯＰＣを実行して次のデータを書き込むのに適した書き込みレーザパワーを再設定することができる。
【００１０】
また、データ書き込み終了からの経過時間を計時する計時手段を具備し、書き込みレーザパワー設定手段は、データ書き込み終了後、計時手段が所定時間経過したことを検出した場合に、次のデータの書き込みに対して適正なレーザパワーを設定するように、再度テスト書き込みを実行することを特徴としてもよい。
温度環境等の変化が生じるであろうと思われる所定時間を予め設定しておき、所定時間経過した場合には、再度ＯＰＣを実行することで、次のデータは再度ＯＰＣを実行することで得られた最適な書き込みレーザパワーで書き込むことができる。
【００１１】
また、装置内温度を測定する温度測定手段を具備し、書き込みレーザパワー設定手段は、データ書き込み終了後、温度測定手段が装置内温度が所定温度になったことを検出した場合に、次のデータの書き込みに対して適正なレーザパワーを設定するように、再度テスト書き込みを実行することを特徴としてもよい。
これによれば、最適な書き込みレーザパワーが変化する程度の温度環境の変化を検出した場合に、再度ＯＰＣを実行することで、次のデータは再度ＯＰＣを実行することで得られた最適な書き込みレーザパワーで書き込むことができる。
【００１２】
なお、データ書き込み終了からの経過時間を計時する計時手段と、装置内温度を測定する温度測定手段をとを具備し、書き込みレーザパワー設定手段は、データ書き込み終了後、計時手段が所定時間経過したことを検出するか、または温度測定手段が装置内温度が所定温度になったことを検出した場合に、次のデータの書き込みに対して適正なレーザパワーを設定するように、再度テスト書き込みを実行することを特徴としてもよい。
この構成によれば、再度ＯＰＣを実行する条件設定をきめ細かく行うことができるので、次に書き込むデータの書き込み品位をより高めることができる。
【００１３】
さらに、書き込みレーザパワー設定手段は、データ書き込み終了後、次のデータを書き込みするまでに光ディスクの回転が停止した場合には、再度適正なレーザパワーを設定するようにテスト書き込みを実行することを特徴としてもよい。
この構成によれば、光ディスクの回転停止により、最適な書き込みレーザパワーが変化する場合もあると考えられ、再度ＯＰＣを実行することで、次のデータは再度ＯＰＣを実行することで得られた最適な書き込みレーザパワーで書き込むことができる。
【発明の効果】
【００１４】
本発明にかかる光ディスク装置によれば、同じ光ディスクに複数のデータを書き込む場合に、次のデータ書き込みまでに最適な書き込みレーザパワーが変化してしまうような場合でも、次のデータに対する最適な書き込みデータパワーを再度設定するので、光ディスク全体を高い書き込み品位でデータ書き込みできる。
【発明を実施するための最良の形態】
【００１５】
本発明の光ディスク装置は、複数のデータを書き込む場合に、次のデータ書き込みまでに所定の条件を満たした場合には、再度ＯＰＣを実行してより適正な書き込みレーザパワーでデータを書き込むものである。
【実施例】
【００１６】
（第１の実施形態）
本発明の第１の実施形態の構成について、図１に基づいて説明する。
本実施形態は、複数のデータを書き込む場合に、あるデータの書き込み終了後、次のデータ書き込みまで所定時間を経過したときに再度ＯＰＣを実行するものである。
光ディスク装置２０は、光ディスク２１を装着するターンテーブル２３が設けられたスピンドルモータ２２と、光ディスク２１にレーザ光を照射すると共に光ディスク２１から反射されたレーザ光を受光する光ピックアップ２４とを具備している。
【００１７】
光ピックアップ２４は、レーザ光を出力するレーザダイオード（ＬＤ）２６と、受光素子であるフォトディテクタ（ＰＤ）２８とを有している。また、レーザ光を集光して光ディスクの記録層に焦点を合わせるための対物レンズ２９が光ピックアップ２４内には設けられている。
フォトディテクタ２８では、受光面で受けた光強度が電圧値に変換されて光ピックアップ２４の外部に設けられているＲＦアンプ３０に入力される。
光ピックアップ２４は、スレッド軸２７上に配置され、送りモータ２５の駆動により光ディスク２１の径方向に移動する。
【００１８】
また、光ピックアップ２４内のレーザダイオード２６が出力するレーザ光のレーザパワーは、レーザドライバ５８がレーザダイオード２６の駆動電流を制御することによって、調整可能となっている。
レーザダイオード２６は、光ディスク２１にデータを書き込む際には、レーザ光を、高出力のレーザパワーと低出力のレーザパワーとを、書き込むべきデータを２値化したデータに伴って交互に光ディスク２１に向けて照射する。高出力のレーザパワーが光ディスク２１の記録面に照射されると、光ディスク２１の色素層が変質し、ピットが形成される。また、低出力のレーザパワーが光ディスク２１の記録面に照射されると、光ディスク２１の色素層は変質せず、この部分がランドとなる。こうして、光ディスク２１には、ピットとランドが交互に形成される。
【００１９】
制御部３４は、予め記憶されている制御プログラムに基づいて動作するＣＰＵ４０、ＲＯＭやＲＡＭ等のメモリ４３から構成されている。
制御部３４の機能について説明する。
制御部３４は、制御プログラムに基づいて、各部材に制御信号を出力することで光ディスク装置２０全体の動作を統括制御する。
さらに、制御部３４は、テスト書き込みであるＯＰＣを実行可能となるように、各構成を制御する書き込みレーザパワー設定手段４２を有している。
また、制御部３４は、書き込みレーザパワー設定手段４２で設定された最適な書き込みレーザパワーに基づいて、光ディスク２１へのデータ書き込みを実行するように、レーザドライバ５８やその他の構成を制御する書き込み制御手段４４を有している。
【００２０】
書き込みレーザパワー設定手段４２と書き込み制御手段４４は、メモリ４３内に予め記憶されているファームウェアをＣＰＵ４０が実行することで実現される。
制御部３４は、内部に計時手段であるタイマー４６を備えており、先のデータの書き込みが終了してから次のデータの書き込みを開始するまでの経過時間を測定することができる。
【００２１】
光ディスク装置２０は、インターフェース部５０を介してホストコンピュータ等の外部機器と接続される。ホストコンピュータは、光ディスク２１にデータを書き込む際に実行するアプリケーションソフトであるライトアプリがインストールされている
ユーザは、光ディスクにデータを書き込もうとする場合には、ホストコンピュータのライトアプリを起動してライトアプリを操作する。ライトアプリは、ユーザの操作に基づいて、ホストコンピュータから光ディスク装置２０におけるデータの書き込み動作を制御するためのコマンドを出力する。
【００２２】
コマンドはインターフェース部５０を介して制御部３４に入力される。
制御部３４では、ホストコンピュータから送信されたコマンドに基づいて各構成を制御してデータの書き込み動作を実行する。
【００２３】
また、書き込むべきデータは、ホストコンピュータから送信され、インターフェース部５０を介して光ディスク装置２０に入力される。インターフェース部５０から送られてきたデータは、エンコーダ５６に入力される。エンコーダ５６は、データをＥＦＭ変調するＥＦＭ変調機能や、ＥＦＭ変調されたデータをエンコードするエンコード機能が設けられている。
【００２４】
エンコーダ５６で信号処理されたデータは、レーザドライバ５８に入力される。レーザドライバ５８は、光ピックアップ２４内のレーザダイオード２６のレーザ光強度を、書き込むべきデータにあわせて制御する。
【００２５】
ＲＦアンプ３０は、光ピックアップ２４から送られてくる光強度信号を２値化したＲＦ信号を生成するとともに、フォトディテクタ２８の各受光面で受光した光強度の差や和をとることにより、トラッキングエラー信号（ＴＥ信号）およびフォーカスエラー信号（ＦＥ信号）を生成することができる。
【００２６】
また、ＲＦアンプ３０によって得られたＲＦ信号は、デコーダ５２内でデコードや復調がなされる。ＲＦ信号は、デコーダ５２のデコード機能や４０ＥＦＭ復調機能によって、ＣＩＲＣ等の誤り訂正およびＥＦＭ復調がされ、再生信号が得られる。
【００２７】
ＲＦアンプ３０を経てフォーカスエラー信号とトラッキングエラー信号は、サーボプロセッサ３２に入力される。
サーボプロセッサ３２は、フォーカスエラー信号やトラッキングエラー信号に基づき、フォーカスドライブ信号（ＦＤＯ信号）とトラッキングドライブ信号（ＴＤＯ信号）を光ピックアップ２４に出力してフォーカスサーボやトラッキングサーボを制御する。
【００２８】
さらにサーボプロセッサ３２は、制御部３４から入力される制御信号に基づいて、回転制御信号を出力してスピンドルモータ２２の回転を制御し、駆動制御信号を送りモータ２５へ出力して光ピックアップ２４の送り動作を制御する。
【００２９】
次に、本実施形態の光ディスク装置２０の制御部３４が実行する動作方法を、図２に基づいて説明する。
光ディスク装置２０にデータ書き込み可能な光ディスク２１がマウントされ、データを書き込むように指示されたコマンドを制御部３４が受信すると（ステップＳ１００）、制御部３４の書き込みレーザパワー設定手段４２はテスト書き込みであるＯＰＣを実行する（ステップＳ１０２）。
【００３０】
ＯＰＣ自体の動作は、従来の技術で説明したものと同様である。
すなわち、図７に示すように、制御部３４は、光ディスク２１のＡＴＩＰやＡＤＩＰから光ディスク２１の識別情報を取得する（ステップＳ４００）。
制御部３４は、光ディスク２１の識別情報に基づいて、光ディスク装置２０内（メモリ４３内等）で予め設定してあるデータテーブルから初期レーザパワー値を読み出す（ステップＳ４０１）。
制御部３４は、この初期レーザパワー値を中心として、レーザ光のパワーを徐々に変化させながらＰＣＡにテスト書き込みきを行なう（ステップＳ４０２）。
【００３１】
テスト書き込みされたデータは読み出され、制御部３４は、読み出した光強度の波形の上下対照性（アシンメトリ：一般的にβと記す場合もある）を確認する。上下対照性の確認により、最も上下対照性の良い時点でのレーザパワーが、その光ディスク２１の最適な書き込みレーザパワー値であるとして制御部３４が設定する（ステップＳ４０４）。
【００３２】
制御部３４の書き込み制御手段４４は、このＯＰＣによって設定された最適レーザパワー値で書き込み用のレーザ光を照射してデータを書き込んでいく（ステップＳ１０３）。書き込むデータは、ホストコンピュータ等の外部機器から転送されてくる。
【００３３】
コマンドで指定されたデータの書き込みが終了すると（ステップＳ１０４）、次のコマンドがホストコンピュータから送信されてくるまで、光ディスク装置はポーズ（一時停止）状態となる（ステップＳ１０６）。ポーズのときには、光ディスク２１はスピンドルモータによって回転し続けている。
【００３４】
コマンドで指定されたデータの書き込みが終了してからタイマー４６が時間測定を開始する（ステップＳ１０８）。
制御部３４は、タイマー４６が計時した時間が所定時間を経過したことを検出した場合には、バッファアンダーランが生じたことに起因する記録保護機能を実行するか否かを判断する（ステップＳ１１０）。バッファアンダーランとは、光ディスク２１へデータを書込んでいる最中に、光ディスク２１へのデータの書込み速度よりもホストコンピュータ等から転送されてくる書込み用のデータの転送速度が遅くなってしまい、書き込むべきデータが無くなってしまう状態をいう。また、記録保護機能とは、いわゆるバーンプルーフやジャストリンク等の名称で呼ばれる機能であり、バッファアンダーランが発生すると書き込みを中断してそのまましばらく待機し、中断後にデータの転送速度が速くなってきた場合には、中断を解除して再度書込みを行なうように制御する機能である。
【００３５】
制御部３４は、記録保護機能を実行する場合には、再ＯＰＣを実行させないように制御する。具体的には、記録保護機能を実行するときにはＯＰＣフラグをそのままにしておき、記録保護機能を実行しないときにはＯＰＣフラグをリセットする（ステップＳ１１２）。
記録保護機能は、別のデータを書き込むのではなく、データ書き込みが途中で途切れた場合に実行するものであって、データは連続して書き込まれるので、再度ＯＰＣを実行するという本発明の考え方には馴染まないからである。
【００３６】
制御部３４は、次の書き込み指示コマンドを受信したのち（ステップＳ１１４）、ＯＰＣフラグをチェックし（ステップＳ１１６）、ＯＰＣフラグがリセットされている場合（すなわち、記録保護機能を実行しないとき）は、ＯＰＣを再度実行する必要があると判断し、書き込みレーザパワー設定手段４２によりＯＰＣを再度実行する（ステップＳ１１８）。
【００３７】
ＯＰＣ自体の動作は、上述したように図７に示したものと同一の動作であるので、再ＯＰＣの動作説明はここでは省略する。
そして、ステップＳ１０３へ移行し、制御部３４の書き込み制御手段４４は、再度実行されたＯＰＣによって設定された最適レーザパワー値で書き込み用のレーザ光を照射してデータを書き込んでいく。
書き込み終了コマンドが入力されたときに、制御部３４はデータの書き込みを終了する。
【００３８】
（第２の実施形態）
次に、本発明の第２の実施形態について説明する。
本実施形態では、複数のデータを書き込む場合に、あるデータの書き込み終了後、次のデータ書き込みまでに光ディスク装置内の温度が所定温度になったときに再度ＯＰＣを実行するものである。
なお、上述した実施形態と同一の構成要素については同一の符号を付し、説明を省略する場合もある。
【００３９】
制御部３４には、光ディスク装置２０内部の温度を測定する温度測定手段４８が接続されている。温度測定手段４８としては、温度を検出できればどのようなものであってもよいが、サーミスタが一般的である。また、温度測定手段４８を光ピックアップ２４近傍に配置することで、レーザダイオード２６の温度変化をより的確に検出できる。
【００４０】
本実施形態の光ディスク装置２０の制御部３４が実行する動作方法を、図４に基づいて説明する。
光ディスク装置２０にデータ書き込み可能な光ディスク２１がマウントされ、データを書き込むように指示されたコマンドを制御部３４が受信すると（ステップＳ２００）、制御部３４の書き込みレーザパワー設定手段４２はテスト書き込みであるＯＰＣを実行する（ステップＳ２０２）。
【００４１】
ＯＰＣ自体の動作は、図７で示したものと同様である。したがって、ここではＯＰＣ動作の説明については省略する。
【００４２】
制御部３４の書き込み制御手段４４は、ＯＰＣによって設定された最適レーザパワー値で書き込み用のレーザ光を照射してデータを書き込んでいく（ステップＳ２０３）。書き込むデータは、ホストコンピュータ等の外部機器から転送されてくる。
【００４３】
コマンドで指定されたデータの書き込みが終了すると（ステップＳ２０４）、次のコマンドがホストコンピュータから送信されてくるまで、光ディスク装置はポーズ（一時停止）状態となる（ステップＳ２０６）。ポーズのときには、光ディスク２１はスピンドルモータによって回転し続けている。
【００４４】
データの書き込みが終了してポーズ状態となったのち、制御部３４は、温度測定手段４８の測定する温度をモニタし、温度測定手段４８が測定した温度が、予め設定してあった閾値を超えたと判断した場合には（ステップＳ２０８）、バッファアンダーランが生じたことに起因する記録保護機能を実行するか否かを判断する（ステップＳ２１０）。
【００４５】
制御部３４は、記録保護機能を実行する場合には、再ＯＰＣを実行させないように制御する。具体的には、記録保護機能を実行するときにはＯＰＣフラグをそのままにしておき、記録保護機能を実行しないときにはＯＰＣフラグをリセットする（ステップＳ２１２）。
【００４６】
制御部３４は、次の書き込み指示コマンドを受信したのち（ステップＳ２１４）、ＯＰＣフラグをチェックし（ステップＳ２１６）、ＯＰＣフラグがリセットされている場合（すなわち、記録保護機能を実行しないとき）は、ＯＰＣを再度実行する必要があると判断し、書き込みレーザパワー設定手段４２によりＯＰＣを再度実行する（ステップＳ２１８）。
【００４７】
ＯＰＣ自体の動作は、図７で示したものと同一の動作であるので、再ＯＰＣの動作説明はここでは省略する。
そして、ステップＳ２０３へ移行し、制御部３４の書き込み制御手段４４は、再度実行されたＯＰＣによって設定された最適レーザパワー値で書き込み用のレーザ光を照射してデータを書き込んでいく。
書き込み終了コマンドが入力されたときに、制御部３４はデータの書き込みを終了する。
【００４８】
（第３の実施形態）
本実施形態は、図５に示すように、計時手段であるタイマー４６と温度測定手段４８の双方を設け、複数のデータを書き込む場合に、あるデータの書き込み終了後、次のデータ書き込みまでに所定時間を経過したか、または光ディスク装置２０内の温度が所定温度になったときに再度ＯＰＣを実行するものである。
なお、上述した両実施形態と同一の構成要素については同一の符号を付しており、説明を省略する。
【００４９】
本実施形態の光ディスク装置２０の制御部３４が実行する動作方法を図６に基づいて説明する。
光ディスク装置２０にデータ書き込み可能な光ディスク２１がマウントされ、データを書き込むように指示されたコマンドを制御部３４が受信すると（ステップＳ３００）、制御部３４はテスト書き込みであるＯＰＣを実行する（ステップＳ３０２）。
【００５０】
ＯＰＣ自体の動作は、図７で示したものと同様である。
したがって、ここではＯＰＣ自体の動作説明については省略する。
書き込み制御手段４４は、このＯＰＣによって設定された最適レーザパワー値で書き込み用のレーザ光を照射してデータを書き込んでいく（ステップＳ３０３）。書き込むデータは、ホストコンピュータ等の外部機器から転送されてくる。
【００５１】
コマンドで指定されたデータの書き込みが終了すると、次のコマンドがホストコンピュータから送信されてくるまで、光ディスク装置２０はポーズ（一時停止）状態となる（ステップＳ３０６）。ポーズのときには、光ディスク２１はスピンドルモータによって回転し続けている。
【００５２】
コマンドで指定されたデータの書き込みが終了したのち、タイマー４６が時間測定を開始し、制御部３４が温度測定手段４８の測定する温度をモニタする。
制御部３４は、タイマー４６によって所定時間経過したことを検出した場合、または温度測定手段４８が測定した温度が、予め設定してあった閾値を超えたと判断した場合には（ステップＳ３０８）、次に、バッファアンダーランが生じたことに起因する記録保護機能を実行するか否かを判断する（ステップＳ３１０）。
【００５３】
制御手部３４は、記録保護機能を実行する場合には、再ＯＰＣを実行させないように制御する。具体的には、記録保護機能を実行するときにはＯＰＣフラグをそのままにしておき、記録保護機能を実行しないときにはＯＰＣフラグをリセットする（ステップＳ３１２）。
【００５４】
制御部３４は、次の書き込み指示コマンドを受信したのち（ステップＳ３１４）、ＯＰＣフラグをチェックし（ステップＳ３１６）、ＯＰＣフラグがリセットされている場合（すなわち、記録保護機能を実行しないとき）は、ＯＰＣを再度実行する必要があると判断し、書き込みレーザパワー設定手段４２によりＯＰＣを再度実行する（ステップＳ３１８）。
【００５５】
ＯＰＣ自体の動作は、図７に示したものと同一の動作であるので、再ＯＰＣの動作説明はここでは省略する。
そして、ステップＳ３０３へ移行し、制御部３４の書き込み制御手段４４は、再度実行されたＯＰＣによって設定された最適レーザパワー値で書き込み用のレーザ光を照射してデータを書き込んでいく。
【００５６】
（他の実施形態）
なお、上述してきた各実施形態では、再ＯＰＣを実行する場合の開始条件として時間または温度を条件とした例について説明してきた。
しかし、再ＯＰＣを実行する場合に必要とされる要件としては、このようなものに限定されることはない。例えば、あるデータの書き込み終了後ポーズ状態となったのち、制御部３４が、光ディスク２１の回転が停止したことを検出した場合に、再ＯＰＣを実施するように制御してもよい。
すなわち、ポーズ状態の後、何らかの要因により光ディスク２１の回転が停止する場合も考えられるためである。
【００５７】
ただし、ポーズ状態の後の光ディスク２１の回転停止は、ポーズ状態から所定時間経過したことを検出した場合に制御部３４が行うこともある。かかる場合には、光ディスク２１の回転停止という要件ではなく、所定時間経過という要件と同一の要件となる。
【００５８】
なお、上述した各実施形態では、記録保護機能を実行する場合には、制御部３４はＯＰＣを再度実行しないように判断を下してきた。しかし、記録保護機能の実行の有無にかかわらず、再度ＯＰＣを実行するようにしてもよい。
【００５９】
以上本発明につき好適な実施例を挙げて種々説明したが、本発明はこの実施例に限定されるものではなく、発明の精神を逸脱しない範囲内で多くの改変を施し得るのはもちろんである。
【図面の簡単な説明】
【００６０】
【図１】光ディスク装置の第１の実施形態の構成を示すブロック図である。
【図２】第１の実施形態におけるデータ書き込みの動作方法を説明するフローチャートである。
【図３】光ディスク装置の第２の実施形態の構成を示すブロック図である。
【図４】第２の実施形態におけるデータ書き込みの動作方法を説明するフローチャートである。
【図５】光ディスク装置の第３の実施形態の構成を示すブロック図である。
【図６】第３の実施形態におけるデータ書き込みの動作方法を説明するフローチャートである。
【図７】通常のＯＰＣ動作について説明するフローチャートである。
【符号の説明】
【００６１】
２０  光ディスク装置
２１  光ディスク
２２  スピンドルモータ
２３  ターンテーブル
２４  光ピックアップ
２５  送りモータ
２６  レーザダイオード
２７  スレッド軸
２８  フォトディテクタ
２９  対物レンズ
３０  ＲＦアンプ
３２  サーボプロセッサ
３４  制御部
４２  書き込みレーザパワー設定手段
４３  メモリ
４４  書き込み制御手段
４６  タイマー
４８  温度測定手段
５０  インターフェース部
５２  デコーダ
５６  エンコーダ
５８  レーザドライバ
【図１】
2007234117.tif 000003
【図２】
2007234117.tif 000004
【図３】
2007234117.tif 000005
【図４】
2007234117.tif 000006
【図５】
2007234117.tif 000007
【図６】
2007234117.tif 000008
【図７】
2007234117.tif 000009